(57)【要約】【課題】除塵と同時に揚砂を可能として、土砂の堆積を未然に防止できるようにする。【解決手段】流路１に介設されるスクリーン３の上流側の両側に、周回移動されるエンドレスチェーン６が設けられ、この両側のチェーン６に支持されたレーキ２６ｆ，２８がチェーン６の周回移動に伴って、スクリーン３で捕捉された塵芥１１を掻き揚げながらスクリーン３上方のトラフ８に掻き落とすようになった除塵装置において、上記両側のチェーン６に、チェーン６間の底部分に堆積した土砂を掬い揚げて、上記トラフ８に掬い落とし可能なバケット２６が支持されて、チェーン６の周回移動に伴って、バケット２６によりチェーン６間の底部分に堆積した土砂１０を掬い揚げてトラフ８に掬い落とすと同時に、レーキ２６ｆ，２８により塵芥１１を掻き揚げてトラフ８に掻き落とす。【選択図】　図１
2004044264.tif 000002
【特許請求の範囲】
【請求項１】
流路に介設されるスクリーンの上流側の両側に、周回移動されるエンドレスチェーンが設けられ、この両側のチェーンに支持されたレーキがチェーンの周回移動に伴って、スクリーンで捕捉された塵芥を掻き揚げながらスクリーン上方のトラフに掻き落とすようになった除塵装置において、
上記両側のチェーンに、チェーン間の底部分に堆積した土砂を掬い揚げて、上記トラフに掬い落とし可能なバケットが支持されていることを特徴とする除塵装置。
【請求項２】
上記両側のチェーンに、レーキとバケットとが交互に設けられている請求項１に記載の除塵装置。
【請求項３】
上記レーキは、バケットのスクリーン側に一体的に形成されている請求項１または２に記載の除塵装置。
【請求項４】
上記バケットに水切り用穴が形成されている請求項１〜３のいずれかに記載の除塵装置。
【請求項５】
上記両側のチェーンの上部に、バケットの上開口を下向きに反転させて、土砂をトラフに掬い落とすための反転用スプロケットが設けられている請求項１〜４のいずれかに記載の除塵装置。
【請求項６】
上記両側のチェーンの下部の折り返し部は、ガイド金物のチェーンガイド溝でガイドされる請求項１〜５のいずれかに記載の除塵装置。
【請求項７】
上記両側のチェーンの下部の折り返し部は、上流側に膨出されている請求項１〜６のいずれかに記載の除塵装置。
【請求項８】
上記トラフに、塵芥と土砂を搬出するコンベアが設けられるとともに、このコンベアで搬出された塵芥と土砂を、塵芥と土砂とに分離する分離装置が設けられている請求項１〜７のいずれかに記載の除塵装置。
【請求項９】
上記両側のチェーンは、上部が周回移動用スプロケットに掛け回されるとともに、このスプロケットよりも下方部分がガイド金物のチェーンガイド溝でガイドされ、このガイド金物は、上記流路の壁部に固定されたガイドフレームで上下移動可能に支持されている請求項１〜８のいずれかに記載に除塵装置。
【請求項１０】
上記ガイド金物に、ガイドフレームを転動可能なローラが設けられている請求項９に記載の除塵装置。
【請求項１１】
上記ガイド金物は、複数段に分解可能に連結されている請求項９または１０に記載の除塵装置。
【発明の詳細な説明】
【０００１】
【発明の属する技術分野】
本発明は、除塵と同時に揚砂を可能とした除塵装置に関する。
【０００２】
【従来の技術】
従来、図１３に示すようなダム施設においては、流路（取水口）１の上流側に、図１２に示すようなロータリレーキ方式の除塵装置２が設置されている（特願２００１−２１４２号）。
【０００３】
この除塵装置２は、流路１に介設される縦格子状のスクリーン３の上流側の両側に、ガイド金物９のチェーンガイド溝でガイドされながら、電動機４で駆動されるスプロケット５で周回移動されるエンドレスチェーン６が設けられ、この両側のチェーン６に支持された熊手状のレーキ７がチェーン６の周回移動に伴って、スクリーン３で捕捉された塵芥を掻き揚げながらスクリーン３上方のトラフ（搬出用ベルトコンベア）８に掻き落とすようになっている。
【０００４】
ところで、ダム施設によっては、図１２（ａ）に示したように水流とともに土砂１０も運ばれてきて、エンドレスチェーン６の間の底部分に多量に堆積することがある。
【０００５】
【発明が解決しようとする課題】
しかしながら、上記レーキ７は熊手状であるために、土砂を掻き揚げることができないうえに、土砂の中に潜り込みながら移動することになるから、駆動抵抗が増大するのみならず、土砂との摩擦によってレーキ等が損傷しやすくなるという問題があった。この対策として、従来ではダム施設の水位を下げて、あるいは水位が下がった時を見計らって土砂の浚渫作業を行っていたが、このような浚渫作業は必要な時に必ず行えるという保証が全くなかった。
【０００６】
本発明は、上記問題を解消するためになされたもので、除塵と同時に揚砂を可能として、土砂の堆積を未然に防止できるようにした除塵装置を提供することを課題とするものである。
【０００７】
【課題を解決するための手段】
上記課題を解決するために、本発明は、流路に介設されるスクリーンの上流側の両側に、周回移動されるエンドレスチェーンが設けられ、この両側のチェーンに支持されたレーキがチェーンの周回移動に伴って、スクリーンで捕捉された塵芥を掻き揚げながらスクリーン上方のトラフに掻き落とすようになった除塵装置において、
上記両側のチェーンに、チェーン間の底部分に堆積した土砂を掬い揚げて、上記トラフに掬い落とし可能なバケットが支持されていることを特徴とする除塵装置を提供するものである。
【０００８】
本発明によれば、チェーンの両側にバケットを支持することにより、チェーンの周回移動に伴って、バケットによりチェーン間の底部分に堆積した土砂を掬い揚げてトラフに掬い落とすと同時に、レーキにより塵芥を掻き揚げてトラフに掻き落とすことができる。かかる揚砂は、ダム施設の水位を下げる必要が全く無く、除塵と同時に常に行えることから、土砂の堆積を未然に防止できるので、レーキの駆動抵抗が減少するとともに、土砂との摩擦の減少でレーキ等の損傷を防止できるようになる。
【０００９】
請求項２のように、上記両側のチェーンに、レーキとバケットとが交互に設けられていると、レーキで除塵を、バケットで揚砂を、それぞれ効率的に行うことができる。
【００１０】
請求項３のように、上記レーキは、バケットのスクリーン側に一体的に形成されていると、バケットで揚砂しながらバケットのレーキ部分で除塵も行うことができ、レーキを別に設ける必要が無くなる。
【００１１】
請求項４のように、上記バケットに水切り用穴が形成されていると、バケットで掬い揚げた土砂から、水だけを水切り用穴から排出できるようになる。
【００１２】
請求項５のように、上記両側のチェーンの上部に、バケットの上開口を下向きに反転させて、土砂をトラフに掬い落とすための反転用スプロケットが設けられていると、チェーンの上部の反転用スプロケット位置までバケットが周回移動されると、上開口が下向きに反転されるので、バケットで掬い揚げた土砂を自動的にトラフに掬い落とすことができる。
【００１３】
請求項６のように、上記両側のチェーンの下部の折り返し部は、ガイド金物のチェーンガイド溝でガイドされると、チェーン用スプロケットで折り返す場合のような土砂や塵芥の噛み込みが発生しなくなる。
【００１４】
請求項７のように、上記両側のチェーンの下部の折り返し部は、上流側に膨出されていると、スクリーンよりも上流側に離れた位置から土砂の堆積を防止することができる。
【００１５】
請求項８のように、上記トラフに、塵芥と土砂を搬出するコンベアが設けられるとともに、このコンベアで搬出された塵芥と土砂を、塵芥と土砂とに分離する分離装置が設けられていると、土砂と塵芥とをいずれも効率的にリサイクルすることができる。
【００１６】
請求項９のように、上記両側のチェーンは、上部が周回移動用スプロケットに掛け回されるとともに、このスプロケットよりも下方部分がガイド金物のチェーンガイド溝でガイドされ、このガイド金物は、上記流路の壁部に固定されたガイドフレームで上下移動可能に支持されていると、ガイド金物をガイドフレームに沿わせて下移動させてチェーンおよびバケット等を掻き揚げ・掬い揚げ位置にセットするとともに、ガイド金物をガイドフレームに沿わせて水面上に上移動させると、ダム施設の水位を下げること無く、土砂の掬い揚げで摩耗が発生しやすいガイド金物の点検や取り替え作業等のメンテナンスを容易に行うことができる。
【００１７】
請求項１０のように、上記ガイド金物に、ガイドフレームを転動可能なローラが設けられていると、ガイド金物の上下移動をスムーズに行うことができる。
【００１８】
請求項１１のように、上記ガイド金物は、複数段に分解可能に連結されていると、全長の長い（例えば約１５ｍ）ガイド金物を上移動させながら上段部分から順次に分解（例えば４分割）することにより、全長の長いガイド金物の点検や取り替え作業等のメンテナンスを容易に行うことができる。また、ガイド金物を例えばトラッククレーンで上下移動可能な長さに分解すれば、クレーンを常設して置く必要が無いので経済的である。
【００１９】
【発明の実施の形態】
以下、本発明の実施の形態を図面を参照して詳細に説明する。なお、従来技術と同一構成・作用の箇所は同一番号を付して詳細な説明は省略する。
【００２０】
図１および図２に示すように、ダム施設には取水口（流路）１が形成され（例えば図７のダム施設では８個の取水口１が形成されている）、この取水口１の上流側に、ロータリレーキ方式の除塵装置１２が設置されている。
【００２１】
この除塵装置１２には、取水口１の上流位置に縦格子状のスクリーン３が設置されて、このスクリーン３により取水口１に流れ込む流水中の塵芥が捕捉（引っ掛けられる）されるようになる。
【００２２】
上記取水口１の上流両側に位置するダム前壁部１３ａには、上流方向に突出するとともに、上下方向に延在する縦長長方形状のガイドフレーム１４（図１１（ａ）参照）がそれぞれ固定され、このガイドフレーム１４の台座部１４ａは、ダム底壁部１３ｂに固定されている。
【００２３】
上記ガイドフレーム１４の後部には、上下方向に延在して、前方が開放した断面Ｕ字状の後ガイドレール部１４ｂが形成されるとともに、このガイドフレーム１４の前部には、上下方向に延在して、後方が開放した断面Ｕ字状の前ガイドレール部１４ｃが形成されている。
【００２４】
上記ガイドフレーム１４の内側には、上流方向に突出するとともに、上下方向に延在する縦長長方形状のガイド金物１５（図１１（ａ）参照）がそれぞれ配置され、このガイド金物１５の下部１５ａは上流側に膨出されている。
【００２５】
上記ガイド金物１５の内面には、外形状に沿ったＵ字形状のチェーンガイド溝１５ｂがそれぞれ形成される一方（図１１（ｂ）参照）、このガイド金物１５の外面前部には、上記ガイドフレーム１４の前ガイドレール部１４ｃを上下方向に転動可能な複数の前ローラ１６ａが所定のピッチで設けられるとともに、このガイド金物１５の後部には、上記ガイドフレーム１４の後ガイドレール部１４ｂを上下方向に転動可能な複数の後ローラ１６ｂが所定のピッチで設けられている（図１１（ａ）参照）。
【００２６】
上記ガイド金物１５は、全長が長い（例えば約１５ｍ）ものであることから、複数段（例えば４段）に分解できるようにしているとともに、図１１（ｃ）に示すように、この分解されたガイド金物片１５Ａ〜１５Ｄは、ボルト・ナット１７等によって分解可能に連結できるようになっている。
【００２７】
上記ガイド金物１５は、各ローラ１６ａ，１６ｂがガイドフレーム１４の各ガイドレール部１４ｂ，１４ｃ内に嵌め込まれて転動可能な状態で、図１に示したような下動位置でガイドフレーム１４にセットされるようになる。
【００２８】
上記ガイド金物１５のチェーンガイド溝１５ｂにはエンドレスチェーン６がそれぞれ周回移動可能に嵌め込まれている。そして、最下段のガイド金物片１５Ｄの下部１５ａ、つまり、チェーン６の下部の折り返し部は、チェーン用スプロケットで折り返すのではなく、ガイド金物片１５Ｄのチェーンガイド溝１５ｂでガイドしながら折り返すようにしている。また、ガイド金物片１５Ｄの下部１５ａの上流側に膨出された部分のチェーンガイド溝１５ｂは、この膨出に沿って上流側に膨出されている。
【００２９】
上記最上段のガイド金物片１５Ａの上部１５ｃの前部には、送り込み用スプロケット１８が取り外し可能に取付けられるとともに、この上部１５ｃの後部には、反転用スプロケット１９が取り外し可能に取付けられている。
【００３０】
上記ダム施設のダム上壁部１３ｃには、３階建てフレーム２１が構築されて、このフレーム２１の２階部分２１ｂには、駆動用スプロケット２２が取付けられている。
【００３１】
そして、上記エンドレスチェーン６は、この駆動用スプロケット２２から送り込み用スプロケット１８を介してガイド金物１５の前側のチェーンガイド溝１５ｂに入って下降し、最下段のガイド金物片１５Ｄの下部１５ａで折り返されて後側のチェーンガイド溝１５ｂを上昇し、この後側のチェーンガイド溝１５ｂを出て反転用スプロケット１９の上側から駆動用スプロケット２２に至るように掛け回されている（図５（ｅ）参照）。
【００３２】
上記３階建てフレーム２１の３階部分２１ｃには電動機２３が設置されて、この電動機２３の出力軸と駆動用スプロケット２２の入力軸とがベルト２４で接続され、電動機２３で駆動用スプロケット２２を駆動することにより、エンドレスチェーン６がガイド金物１５のチェーンガイド溝１５ｂに沿って周回移動されるようになる（図１の矢印参照）。
【００３３】
上記両側のエンドレスチェーン６には、例えば全周長さの３等分位置に、バケット２６がそれぞれ橋架支持されている。このバケット２６は、図３に詳細に示すように、広口上開口２６ａから下窄まりとなった台形状に形成されていて、側壁部２６ｂには、多数の水切り用穴２６ｃが縦横に形成されている。
【００３４】
このように、バケットに２６水切り用穴２６ｃを形成すると、バケット２６で掬い揚げた土砂から、水だけを水切り用穴２６ｃから排出できるようになる。
【００３５】
このバケット２６の両端壁部２６ｄには、エンドレスチェーン６のリンクの１つに取り外し可能に取付けるための取付け部２６ｅが設けられるとともに、上記ガイド金物１５の内面に当接して、バケット２６の左右振れ止めをするサイドローラ２７ａが取付けられている。また、バケット２６の前側の側壁部２６ｂには、上記スクリーン３に当接して、バケット２６の前振れ止めをするフロントローラ２７ｂが取付けられている。
【００３６】
上記バケット２６の前側（スクリーン３側）の側壁部２６ｂの上部には、スクリーン３の全幅に亘って、隣り合う縦格子状のスクリーン３の間に嵌り込む熊手状のレーキ部２６ｆが一体形成されている。
【００３７】
このように、バケット２６にレーキ部２６ｆを一体形成すると、バケット２６で揚砂しながらバケット２６のレーキ部２６ｆで除塵も行うことができ、レーキを別に設ける必要が無くなる。
【００３８】
上記バケット２６は、図１に示したように、水流とともに運ばれてきて、エンドレスチェーン６の間の底部分に堆積した土砂１０を、図５（ｃ）のように、エンドレスチェーン６の周回移動に伴って掬い揚げるためのものである。また、バケット２６のレーキ部２６ｆは、図５（ｄ）のように、スクリーン３で捕捉された塵芥１１をエンドレスチェーン６の周回移動に伴って掻き揚げるためのものである。
【００３９】
上記土砂１０は、広口上開口２６ａからバケット２６内に掬い入れられるとともに、塵芥１１は、レーキ部２６ｆで掻き取られてバケット２６内の土砂１０の上に乗せられるようになる。
【００４０】
上記説明では、上記エンドレスチェーン６にバケット２６だけを橋架支持するタイプを例にとったが、図４に示すような別体のレーキ２８を設けて、このレーキ２８をバケット２６と交互に位置するように、エンドレスチェーン６に橋架支持するようにしても良い。
【００４１】
このレーキ２８では、図５（ｂ）のように、エンドレスチェーン６の周回移動に伴って土砂１０を掬い揚げても、バケット状でないのでスクリーン３方向にこぼれ出してしまうが、図５（ａ）のように、スクリーン３で捕捉された塵芥１１をエンドレスチェーン６の周回移動に伴って多量に掻き揚げることができるから、レーキ２８で除塵を、バケット２６で揚砂を、それぞれ効率的に行うことができる。この場合には、バケット２６に熊手状のレーキ部２６ｆを一体形成する必要は必ずしも無く、レーキ部２６ｆの無いバケット２６であっても良い。
【００４２】
図１に示すように、上記３階建てフレーム２１の１階部分２１ａには、スクリーン３の上方に位置して、スクリーン３の幅方向に延在するするトラフ８が設置され、このトラフ８内の上段位置には、塵芥１１と土砂１０の混合物を、図６において左方向Ｌに搬出するための第１コンベア３０が設けられるとともに、トラフ８内の下段位置には、後述する分離装置３２で分離された土砂１０のみを、図６において右方向Ｒに搬送するための第２コンベア３１が設けられている。
【００４３】
上記バケット２６で掬い揚げられた土砂１０とバケット２６のレーキ部２６ｆで掻き揚げられた塵芥１１とは、バケット２６が上記反転用スプロケット１９の位置まで移動すると、図５（ｅ）のように、エンドレスチェーン６に倣ってバケット２６の広口上開口２６ａが下向きに反転することで、トラフ８内の第１コンベア３０の上に塵芥１１が掻き落とされるとともに、土砂１０が掬い落とされるようになる。
【００４４】
このように、反転用スプロケット１９を設けると、バケット２６で掬い揚げた土砂を自動的にトラフ８内の第１コンベア３０の上に掬い落とすことができる。なお、トラフ８の底部に、土砂１０や塵芥１１に含まれる水を外部に排出するための水抜き穴を形成しても良い。
【００４５】
図６に示すように、第１コンベア３０で左方向Ｌに搬出された塵芥１１と土砂１０の混合物は、第１コンベア３０の左端部に位置する分離装置３２に送り込まれる。
【００４６】
この分離装置３２は公知の構成のもので良く、例えば図８（ａ）（ｂ）に示すように、上段の粗いフォークデッキ３３と下段の細かいフォークデッキ３４とがそれぞれ階段状に設置されて片持ち支持され、各デッキ３３，３４の支持部を上下運動させることにより先端側が振動すると、上方から送り込まれた塵芥１１と土砂１０の混合物の内、細かい土砂１０は、粗いフォークデッキ３３から細かいフォークデッキ３４を通過してアンダー側Ｕに分離されるとともに、粗い塵芥１１は、粗いフォークデッキ３３の上に乗ったまま、あるいは粗いフォークデッキ３３を通過しても細かいフォークデッキ３４の上に乗ったたまま、それぞれ先端側に送られてオーバー側Ｏに分離されるようになる。
【００４７】
上記のように構成した除塵装置の作用を次に説明する。
【００４８】
電動機２３で駆動用スプロケット２２が駆動されると、エンドレスチェーン６がガイド金物１５のチェーンガイド溝１５ｂに沿って周回移動するようになる。
【００４９】
このエンドレスチェーン６の周回移動に伴って、水流とともに運ばれてきて、エンドレスチェーン６の間の底部分に堆積した土砂１０が広口上開口２６ａからバケット２６内に掬い入れられるとともに、スクリーン３で捕捉された塵芥１１は、レーキ部２６ｆで掻き揚げられてバケット２６内の土砂１０の上に乗せられるようになる。
【００５０】
そして、このバケット２６が反転用スプロケット１９の位置まで移動すると、エンドレスチェーン６に倣ってバケット２６の広口上開口２６ａが下向きに反転することで、第１コンベア３０の上に塵芥１１が掻き落とされるとともに、土砂１０が掬い落とされるようになる。
【００５１】
このように、エンドレスチェーン６のバケット２６で土砂１０を掬い揚げてトラフ８に掬い落とすという揚砂作業は、ダム施設の水位を下げる必要が全く無く、塵芥１１の除塵と同時に常に行えることから、土砂１０の堆積を未然に防止できるので、バケット２６のレーキ部２６ｆ（またはレーキ２８）の駆動抵抗が減少するとともに、土砂１０との摩擦の減少でレーキ部２６ｆ（またはレーキ２８）等の損傷を防止できるようになる。
【００５２】
また、エンドレスチェーン６の下部は、最下段のガイド金物片１５Ｄの下部１５ａのチェーンガイド溝１５ｂで折り返され、この下部１５ａが上流側に膨出されているから、スクリーン３よりも上流側に離れた位置から土砂の堆積を防止することができる。
【００５３】
このエンドレスチェーン６の下部は、最下段のガイド金物片１５Ｄの下部１５ａのチェーンガイド溝１５ｂでガイドされるから、チェーン用スプロケットで折り返す場合のような土砂や塵芥の噛み込みが発生しなくなる。
【００５４】
さらに、トラフ８に設けた第１コンベア３０で搬出された塵芥１１と土砂１０の混合物は、分離装置３２で塵芥１１と土砂１０とに分離されて、アンダー側Ｕに分離された土砂１０は、トラフ８の下段位置の第２コンベア３１で図６において右方向Ｒに搬送されて、第２コンベア３１の右端部３１ａから排出された後に、川砂等としてリサイクルされる。また、オーバー側Ｏに分離された塵芥１１は、公知の選別装置で選別されて、例えば流木や草木、葉等は粉砕して堆肥等としてリサイクルされる。このように、土砂１０と塵芥１１とをいずれも効率的にリサイクルすることができる。
【００５５】
一方、バケット２６による掬い揚げに伴って、土砂１０の微粉末が周辺に飛散することから、ガイド金物１５のチェーンガイド溝１５ｂやエンドレスチェーン６のローラ部分等に摩耗が発生しやすくなるので、ガイド金物１５等の点検や取り替え作業等のメンテナンスを行う必要がある。このような作業は、ダム施設の水位を下げて、あるいは水位が下がった時を見計らってを行う必要があった。
【００５６】
この対策として、図９に示すように、先ず、リンクの適所で連結を外しながらエンドレスチェーン６をバケット２６とともにガイド金物１５のチェーンガイド溝１５ｂから抜き取るとともに、ガイド金物１５の最上段のガイド金物片１５Ａの上部１５ｃの送り込み用スプロケット１８と反転用スプロケット１９とを取り外す。この作業は、トラッククレーン３６や駆動用スプロケット２２の駆動力を利用して行い、各スプロケット１８，１９や連結を外したエンドレスチェーン６は、所定の置き場４０に置く。
【００５７】
そして、トラッククレーン３６のクレーンロープ３７をガイド金物１５の最上段のガイド金物片１５Ａに係止して、トラッククレーン３６でガイド金物１５全体を上方に引き上げると、ガイド金物１５は、各ローラ１６ａ，１６ｂがガイドフレーム４の各ガイドレール１４ａ，１４ｂを転動しながら上移動して、図９に示したように、ダム上壁部１３ｃにある作業デッキ３８の上方に、最上段のガイド金物片１５Ａと２段目のガイド金物１５Ｂとの連結部分が位置したときに上移動を一時停止させる。
【００５８】
この状態で、作業デッキ３８に乗った作業員３９は、２段目以下のガイド金物１５Ｂ〜１５Ｄが下移動しないように２段目のガイド金物１５Ｂを仮係止するとともに、最上段のガイド金物片１５Ａと２段目のガイド金物１５Ｂとの連結部分のボルト・ナット１７等を取り外して、分解した最上段のガイド金物片１５Ａのみをトラッククレーン３６で上移動させて置き場４０に置く。
【００５９】
ついで、トラッククレーン３６のクレーンロープ３７をガイド金物１５の２段目のガイド金物片１５Ｂに係止して、トラッククレーン３６で残りのガイド金物１５全体を上方に引き上げると、残りのガイド金物１５は、各ローラ１６ａ，１６ｂがガイドフレーム４の各ガイドレール１４ａ，１４ｂを転動しながら上移動して、図１０に示したように、作業デッキ３８の上方に、２段目のガイド金物片１５Ｂと３段目のガイド金物１５Ｃとの連結部分が位置したときに上移動を一時停止させる。
【００６０】
この状態で、作業デッキ３８に乗った作業員３９は、３段目以下のガイド金物１５Ｃ，１５Ｄが下移動しないように３段目のガイド金物１５Ｃを仮係止するとともに、２段目のガイド金物片１５Ｂと３段目のガイド金物１５Ｃとの連結部分のボルト・ナット１７等を取り外して、分解した２段目のガイド金物片１５Ｂのみをトラッククレーン３６で上移動させて置き場４０に置く。
【００６１】
同様にして、３段目のガイド金物１５Ｃと最下段のガイド金物１５Ｄを分解して置き場４０に置く。
【００６２】
このように、ガイド金物１５が複数段に分解可能に連結されていると、全長の長い（例えば約１５ｍ）ガイド金物１５を上移動させながら上段部分から順次に分解（例えば４分割）することにより、全長の長いガイド金物１５の点検や取り替え作業等のメンテナンスを、置き場４０において容易に行うことができる。また、ガイド金物１５をトラッククレーン３６で上下移動可能な長さに分解すれば、クレーンを常設して置く必要が無いので経済的である。また、全長の短いガイド金物であれば、複数段に分解可能に連結する必要は必ずしも無い。
【００６３】
いずれの場合であっても、ガイド金物１５をガイドフレーム１４に沿わせて水面上に上移動させることができるから、ダム施設の水位を下げること無く、土砂の掬い揚げで摩耗が発生しやすいガイド金物１５（Ａ〜Ｄ）の点検や取り替え作業等のメンテナンスを容易に行うことができる。
【００６４】
メンテナンスが終わると、上記と逆の手順で、各ガイド金物片１５Ａ〜１５Ｄをガイドフレーム１４に沿わせて下移動させて、元の掻き揚げ・掬い揚げ位置にセットし、送り込み用スプロケット１８と反転用スプロケット１９とを取り付け、リンクで連結しながらエンドレスチェーン６をバケット２６とともにガイド金物１５のチェーンガイド溝１５ｂに嵌め込むようにすれば良い。
【００６５】
このように各ガイド金物片１５Ａ〜１５Ｄをガイドフレーム１４に沿わせて上下移動させる際に、各ガイド金物片１５Ａ〜１５Ｄに、ガイドフレーム１４を転動可能なローラ１６ａ，１６ｂが設けられていると、ガイド金物１５の上下移動をスムーズに行うことができる。
【００６６】
上記実施形態では、エンドレスチェーン６にバケット２６を橋架支持したタイプの除塵装置１２に、ガイド金物１５をガイドフレーム１４で上下移動可能に支持し、ガイド金物１５にローラ１６ａ，１６ｂを設け、ガイド金物１５を複数段に分解可能に連結する構造を適用したが、エンドレスチェーン６にレーキ２８だけを橋架支持する従来タイプの除塵装置２にもかかる構造を適用することができる。
【００６７】
【発明の効果】
以上の説明からも明らかなように、本発明は、チェーンの両側にバケットを支持することにより、チェーンの周回移動に伴って、バケットによりチェーン間の底部分に堆積した土砂を掬い揚げてトラフに掬い落とすと同時に、レーキにより塵芥を掻き揚げてトラフに掻き落とすことができる。かかる揚砂は、ダム施設の水位を下げる必要が全く無く、除塵と同時に常に行えることから、土砂の堆積を未然に防止できるので、レーキの駆動抵抗が減少するとともに、土砂との摩擦の減少でレーキ等の損傷を防止できるようになる。
【００６８】
上記両側のチェーンに、レーキとバケットとを交互に設けると（請求項２）、レーキで除塵を、バケットで揚砂を、それぞれ効率的に行うことができる。
【００６９】
上記レーキをバケットのスクリーン側に一体的に形成すると（請求項３）、バケットで揚砂しながらバケットのレーキ部分で除塵も行うことができ、レーキを別に設ける必要が無くなる。
【００７０】
上記バケットに水切り用穴を形成すると（請求項４）、バケットで掬い揚げた土砂から、水だけを水切り用穴から排出できるようになる。
【００７１】
上記両側のチェーンの上部に、バケットの上開口を下向きに反転させて、土砂をトラフに掬い落とすための反転用スプロケットを設けると（請求項５）、チェーンの上部の反転用スプロケット位置までバケットが周回移動されると、上開口が下向きに反転されるので、バケットで掬い揚げた土砂を自動的にトラフに掬い落とすことができる。
【００７２】
上記両側のチェーンの下部の折り返し部をガイド金物のチェーンガイド溝でガイドすると（請求項６）、チェーン用スプロケットで折り返す場合のような土砂や塵芥の噛み込みが発生しなくなる。
【００７３】
上記両側のチェーンの下部の折り返し部を上流側に膨出すると（請求項７）、スクリーンよりも上流側に離れた位置から土砂の堆積を防止することができる。
【００７４】
上記トラフに、塵芥と土砂を搬出するコンベアを設けるとともに、このコンベアで搬出された塵芥と土砂を、塵芥と土砂とに分離する分離装置を設けると（請求項８）、土砂と塵芥とをいずれも効率的にリサイクルすることができる。
【００７５】
上記両側のチェーンは、上部が周回移動用スプロケットに掛け回すとともに、このスプロケットよりも下方部分をガイド金物のチェーンガイド溝でガイドし、このガイド金物は、上記流路の壁部に固定したガイドフレームで上下移動可能に支持すると（請求項９）、ガイド金物をガイドフレームに沿わせて下移動させてチェーンおよびバケット等を掻き揚げ・掬い揚げ位置にセットするとともに、ガイド金物をガイドフレームに沿わせて水面上に上移動させると、ダム施設の水位を下げること無く、土砂の掬い揚げで摩耗が発生しやすいガイド金物の点検や取り替え作業等のメンテナンスを容易に行うことができる。
【００７６】
上記ガイド金物に、ガイドフレームを転動可能なローラを設けると（請求項１０）、ガイド金物の上下移動をスムーズに行うことができる。
【００７７】
上記ガイド金物を複数段に分解可能に連結すると（請求項１１）、全長の長いガイド金物を上移動させながら上段部分から順次に分解することにより、全長の長いガイド金物の点検や取り替え作業等のメンテナンスを容易に行うことができる。また、ガイド金物を例えばトラッククレーンで上下移動可能な長さに分解すれば、クレーンを常設して置く必要が無いので経済的である。
【図面の簡単な説明】
【図１】ダム施設の除塵装置の側面図である。
【図２】バケット、ガイド金物、ガイドフレームの平面断面図である。
【図３】バケットであり、（ａ）は正面図、（ｂ）は側面図である。
【図４】レーキであり、（ａ）は正面図、（ｂ）は側面図である。
【図５】（ａ）（ｂ）はレーキによる掻き揚げ状態の側面図、（ｃ）（ｄ）はバケットによる掻き揚げ状態の側面図、（ｅ）はバケットの掬い落とし状態の側面図である。
【図６】ダム施設の除塵装置の平面図である。
【図７】ダム施設の除塵装置の正面図である。
【図８】分離装置であり、（ａ）は斜視図、（ｂ）は側面図である。
【図９】最上段のガイド金物片の分解要領の側面図である。
【図１０】２段目のガイド金物片の分解要領の側面図である。
【図１１】（ａ）はガイド金物とガイドフレームの略画的側面図、（ｂ）はチェーンガイド溝を示すガイド金物の側面図、（ｃ）はガイド金物片の分解状態の側面図である。
【図１２】従来の除塵装置であり、（ａ）は側面図、（ｂ）は正面図である。
【図１３】従来のダム施設の除塵装置の斜視図である。
【符号の説明】
１　　　取水口（流路）
３　　　スクリーン
６　　　エンドレスチェーン
８　　　トラフ
１０　　土砂
１１　　塵芥
１２　　除塵装置
１４　　ガイドフレーム
１５　　ガイド金物
１５Ａ〜１５Ｄ　ガイド金物片
１５ａ　下部
１５ｂ　チェーンガイド溝
１９　　反転用スプロケット
２２　　駆動用スプロケット
２３　　電動機
２６　　バケット
２６ａ　広口上開口
２６ｃ　水切り用穴
２６ｆ　レーキ部
２８　　レーキ
３０　　第１コンベア
３１　　第２コンベア
３２　　分離装置
３３　　トラッククレーン
【図１】
2004044264.tif 000003
【図２】
2004044264.tif 000004
【図３】
2004044264.tif 000005
【図４】
2004044264.tif 000006
【図５】
2004044264.tif 000007
【図６】
2004044264.tif 000008
【図７】
2004044264.tif 000009
【図８】
2004044264.tif 000010
【図９】
2004044264.tif 000011
【図１０】
2004044264.tif 000012
【図１１】
2004044264.tif 000013
【図１２】
2004044264.tif 000014
【図１３】
2004044264.tif 000015